(57)【要約】【課題】  上枠及び下枠を用いないドアに大きな振動が加わったとしても、開き戸のガラス嵌め込み部分に嵌め込んだガラスのズレを防ぐ。【解決手段】  壁２に取り付けられた縦枠３、３間に開き戸６を吊り込み、該開き戸６の幅方向の適宜の位置に所要幅のガラス７を嵌め込んだドア１である。開き戸６におけるガラス嵌め込み部分６′の対向部６Ａ、６Ａの夫々の外端面に、一部がガラス７の外端面に被さるズレ防止プレート９、９を取り付ける。ズレ防止プレート９、９は開き戸６におけるガラス嵌め込み部分６′の対向部６Ａ、６Ａの夫々の外端面に形成した凹部内に受容する。【選択図】  図１
2013122143.tif 000002
【特許請求の範囲】
【請求項１】
壁のドア設置部分に取り付けられた縦枠が天井から床間にわたる高さに形成され、該縦枠内に天井から床間いっぱいの高さの開き戸を吊り込んでなり、更に前記開き戸の幅方向の適宜の位置に所要幅のガラスを嵌め込み、弾性接着剤をもって接合してなるドアにおいて、前記開き戸におけるガラス嵌め込み部分の対向部の夫々の外端面に、一部が前記ガラスの外端面に被さるズレ防止プレートを取り付けたことを特徴とするドア。
【請求項２】
開き戸におけるガラス嵌め込み部分の対向部の夫々の外端面に、ズレ防止プレートの厚味に対応する深さの凹部を形成し、該凹部内にズレ防止プレートを受容するようになした請求項１記載のドア。
【請求項３】
ズレ防止プレートが、中央部にビス挿通孔を有するズレ防止プレートであり、該ズレ防止プレートを、そのビス挿通孔に挿通するビスを開き戸におけるガラス嵌め込み部分にねじ込んで止めるようになした請求項１又は２記載のドア。
【請求項４】
開き戸におけるガラス嵌め込み部分の少なくとも上部側における対向部の夫々の外端面に取り付けたズレ防止プレート間に鋼線を緊張してなる請求項１、２又は３記載のドア。
【発明の詳細な説明】
【技術分野】
【０００１】
本発明はドアに関し、更に詳細には開き戸を補強したドアに関するものである。
【背景技術】
【０００２】
本発明者らは、先に、図８及び図９に示す如き、壁２のドア設置部分に取り付けられた縦枠３、３が天井４から床５間にわたる高さに形成され、該縦枠３、３内に天井４から床５間いっぱいの高さの開き戸６を吊り込んでなるドア１において、前記開き戸６の幅方向の適宜の位置に所要幅のガラス７を嵌め込んだものを案出した。
【０００３】
これは採光や見栄えの点において効果がある。そして、図９に示す如く、開き戸６におけるガラス嵌め込み部分６′の対向部６Ａ、６Ａの夫々に設けたガラス嵌合溝６ａ、６ａ内にガラス７の幅方向両側の側縁を嵌合し、弾性接着剤８をもって接合するものである。また、このように接合後においても弾力性を失わない弾性接着剤８をもって接合することによって耐震性の面においても優れている。
【発明の概要】
【発明が解決しようとする課題】
【０００４】
本発明者らが先に案出したドアは、上記の如き利点を有するものであるが、万一大地震等の発生によってドアに大きな振動が加わると、弾性接着剤８をもって接合しているもののガラス７が上下方向にズレを生じる懸念がある。また、図９において仮想線で示す如く、開き戸６におけるガラス嵌め込み部分６′、特に上部側（天井側）の部分が大きく開いてガラス７がズレ落ちる懸念もある。
【０００５】
そこで、本発明者らは斯かる懸念を払拭し、大きな振動が加わったとしても確実に斯かる事態になることを阻止することができるようになしたドアを提供しようとするものである。
【課題を解決するための手段】
【０００６】
而して、本発明の要旨とするところは、壁のドア設置部分に取り付けられた縦枠が天井から床間にわたる高さに形成され、該縦枠内に天井から床間いっぱいの高さの開き戸を吊り込んでなり、更に前記開き戸の幅方向の適宜の位置に所要幅のガラスを嵌め込み、弾性接着剤をもって接合してなるドアにおいて、前記開き戸におけるガラス嵌め込み部分の対向部の夫々の外端面に、一部が前記ガラスの外端面に被さるズレ防止プレートを取り付けたことを特徴とするドアにある。
【０００７】
また、上記構成において、開き戸におけるガラス嵌め込み部分の対向部の夫々の外端面に、ズレ防止プレートの厚味に対応する深さの凹部を形成し、該凹部内にズレ防止プレートを受容するようになしてもよい。
【０００８】
また、上記構成において、ズレ防止プレートを、中央部にビス挿通孔を有するズレ防止プレートとし、該ズレ防止プレートを、そのビス挿通孔に挿通するビスを開き戸におけるガラス嵌め込み部分にねじ込んで止めるようになしてもよい。
【０００９】
また、上記構成において、開き戸におけるガラス嵌め込み部分の少なくとも上部側における対向部の夫々の外端面に取り付けたズレ防止プレート間に鋼線を緊張するようにしてもよい。
【発明の効果】
【００１０】
本発明は上記の如き構成であり、開き戸におけるガラス嵌め込み部分の対向部の夫々の外端面に、一部がガラスの外端面に被さるズレ防止プレートを取り付けたから、ドアに大きな振動が加わったとしても、ガラスの上下方向のズレを確実に阻止することができるものである。
【００１１】
また、開き戸におけるガラス嵌め込み部分の対向部の夫々の外端面に、ズレ防止プレートの厚味に対応する深さの凹部を形成し、該凹部内にズレ防止プレートを受容するようになした場合には、ズレ防止プレートが外部から見えることなく、したがってドアの美感を損なうことがないものである。
【００１２】
また、ズレ防止プレートを、中央部にビス挿通孔を有するズレ防止プレートとし、該ズレ防止プレートを、そのビス挿通孔に挿通するビスを開き戸におけるガラス嵌め込み部分にねじ込んで止めるようになした場合には、ズレ防止プレートの取り付けを迅速且つ確実に行なうことができるものである。
【００１３】
また、開き戸におけるガラス嵌め込み部分の少なくとも上部側における対向部の夫々の外端面に取り付けたズレ防止プレート間に鋼線を緊張するようにした場合には、開き戸におけるガラス嵌め込み部分が大きく開くことがないようにしてガラスのズレ落ちを確実に阻止することができるものである。
【図面の簡単な説明】
【００１４】
【図１】本発明の実施形態に係るドアの壁面に設置した状態の正面図である。
【図２】図１中Ａ部分の一部省略して示した下面図である。
【図３】図２中Ａ′部分の拡大縦断面図である。
【図４】図１中Ｂ部分の一部省略して示した上面図である。
【図５】図４中Ｂ′部分の拡大縦断面図である。
【図６】図１中Ｂ部分の拡大斜視図である。
【図７】本発明の実施形態に係るドアにおいて補強に用いる部品の斜視図である。
【図８】本発明者らが先に案出したドアの壁面に設置した状態の正面図である。
【図９】図８中Ｉ部分の一部省略して示した拡大断面図である。
【発明を実施するための形態】
【００１５】
以下、本発明を実施するための形態について、図面を参照して説明する。
【００１６】
本発明においてその前提となるドアは、本発明者らが先に案出したドア（図８及び図９に示したドア）であり、したがって、図１乃至図６において前記図８及び図９において示した部材と同一の部材には同一の符号を付して詳細な説明は省略する。
【００１７】
而して、本発明は、前記開き戸６におけるガラス嵌め込み部分６′の対向部６Ａ、６Ａの夫々の外端面に、一部がガラス７の外端面に被さるズレ防止プレート９、９を取り付けたことを特徴とするものである。尚、図において７′は、ガラス７におけるズレ防止プレート９が被さる部分を示す。
【００１８】
また、本実施形態においては、前記開き戸６におけるガラス嵌め込み部分６′の対向部６Ａ、６Ａの夫々の外端面に、前記ズレ防止プレート９、９の厚味に対応する深さの凹部１０、１０を形成し、該凹部１０、１０内にズレ防止プレート９、９を受容するようになしている。
【００１９】
また、本実施形態においては、ズレ防止プレート９が、中央部にビス挿通孔９ａを有するズレ防止プレート９であり、該ズレ防止プレート９を、そのビス挿通孔９ａに挿通するビス１１を開き戸６におけるガラス嵌め込み部分６′にねじ込んで止めるようになしている。
【００２０】
更にまた、本実施形態においては、開き戸６におけるガラス嵌め込み部分６′の上部側における対向部６Ａ、６Ａの夫々の外端面に取り付けたズレ防止プレート９、９間に鋼線１２を緊張している。尚、鋼線１２はピアノ線が望ましく、また図示はしないが、鋼線１２は、開き戸６におけるガラス嵌め込み部分６′の上部側と下部側の両方に張るようにしてもよい。また、斯かる場合における具体的な手段は、鋼線１２の両端部にループ状部分１２ａ、１２ａを形成し、該ループ状部分１２ａ、１２ａの夫々をズレ防止プレート９、９の夫々のビス挿通孔９ａに挿通したビス１１をもって固定することによって行うものである。
【００２１】
上記実施形態によれば、開き戸６におけるガラス嵌め込み部分６′の対向部６Ａ、６Ａの夫々の外端面に、一部がガラス７の外端面に被さるズレ防止プレート９、９を取り付けたから、ドア１に大きな振動が加わったとしても、ガラス７の上下方向のズレを確実に阻止することができるものである。
【００２２】
また、開き戸６におけるガラス嵌め込み部分６′の対向部６Ａ、６Ａの夫々の外端面に、ズレ防止プレート９、９の厚味に対応する深さの凹部１０、１０を形成し、該凹部１０、１０内にズレ防止プレート９、９を受容するようになしているから、ズレ防止プレート９、９が外部から見えることなく、したがってドア１の美感を損なうことがないものである。
【００２３】
また、ズレ防止プレート９が、中央部にビス挿通孔９ａを有するズレ防止プレート９であり、該ズレ防止プレート９を、そのビス挿通孔９ａに挿通するビス１１を開き戸６におけるガラス嵌め込み部分６′にねじ込んで止めるようになしているから、ズレ防止プレート９の取り付けを迅速且つ確実に行うことができるものである。
【００２４】
また、本実施形態では、開き戸６におけるガラス嵌め込み部分６′の上部側における対向部６Ａ、６Ａの夫々の外端面に取り付けたズレ防止プレート９、９間に鋼線１２を緊張しているから、開き戸６におけるガラス嵌め込み部分６′が大きく開くことがないようにしてガラス７のズレ落ちを確実に阻止することができるものである。
【符号の説明】
【００２５】
１  ドア
２  壁
３、３  縦枠
４  天井
５  床
６  開き戸
７  ガラス
８  弾性接着剤
９、９  ズレ防止プレート
９ａ  ビス挿通孔
１０、１０  凹部
１１  ビス
１２  鋼線
【図１】
2013122143.tif 000003
【図２】
2013122143.tif 000004
【図３】
2013122143.tif 000005
【図４】
2013122143.tif 000006
【図５】
2013122143.tif 000007
【図６】
2013122143.tif 000008
【図７】
2013122143.tif 000009
【図８】
2013122143.tif 000010
【図９】
2013122143.tif 000011